(57)【要約】【課題】  障子を閉状態に留めることができる、安全性に優れた建具を提供する。【解決手段】  障子と、クレセント錠と、クレセント錠のロック機構を備え、障子は、開閉自在であり、クレセント錠は、障子を開閉不能に固定するものであり、ロック機構は、障子の框に対し、障子開閉方向の水平軸で回動自在に取り付けられている規制部材を有していて、規制部材が、クレセント錠のレバーに室内側から当接してクレセント錠の施錠状態を保持する位置と、レバーに干渉しない退避位置に移動自在であるため、障子を閉状態に留められることを特徴とする建具。【選択図】      図１
2020111899.tif 000002
【特許請求の範囲】
【請求項１】
障子と、クレセント錠と、クレセント錠のロック機構を備え、障子は、開閉自在であり、クレセント錠は、障子を開閉不能に固定するものであり、ロック機構は、障子の框に対し、障子開閉方向の水平軸で回動自在に取り付けられている規制部材を有していて、規制部材は、クレセント錠のレバーに室内側から当接してクレセント錠の施錠状態を保持する位置と、レバーに干渉しない退避位置に移動自在であることを特徴とする建具。
【請求項２】
障子と、クレセント錠と、クレセント錠のロック機構を備え、障子は、開閉自在であり、クレセント錠は、障子を開閉不能に固定するものであり、ロック機構は、障子の框に取り付けられるベースと、ベースに対して框長手方向に移動自在に取り付けられている規制部材を有していて、規制部材は、クレセント錠のレバーに当接してクレセント錠の施錠状態を保持する位置と、レバーに干渉しない退避位置に移動自在であることを特徴とする建具。
【請求項３】
障子と、開閉ハンドルと、開閉ハンドルのロック機構を備え、障子は、開閉自在なものであり、開閉ハンドルは、障子を開閉不能に固定するものであり、ロック機構は、障子の框に対し、障子開閉方向の水平軸で回動自在に取り付けられている規制部材を有していて、規制部材は、開閉ハンドルのレバーに当接して開閉ハンドルの施錠状態を保持する位置と、レバーに干渉しない退避位置に移動自在であることを特徴とする建具。
【請求項４】
障子と、開閉ハンドルと、開閉ハンドルのロック機構を備え、障子は、開閉自在なものであり、開閉ハンドルは、障子を開閉不能に固定するものであり、ロック機構は、障子の框に取り付けられるベースと、ベースに対して框長手方向に移動自在に取り付けられている規制部材を有していて、規制部材は、開閉ハンドルのレバーに当接して開閉ハンドルの施錠状態を保持する位置と、レバーに干渉しない退避位置に移動自在であることを特徴とする建具。
【発明の詳細な説明】
【技術分野】
【０００１】
本発明は、建具に関する。
【背景技術】
【０００２】
従来、クレセント錠や開閉ハンドルによって開閉不能に固定される障子は、不特定多数の者がクレセント錠や開閉ハンドルを操作して開状態とできるため、開口部からの人の出入りを制限できず、また、人が開口部から室外側へ転落する等の危険があった。そのため、障子を閉状態に留めることができる建具が求められていた。
【発明の概要】
【発明が解決しようとする課題】
【０００３】
本発明は上記実情に鑑み、障子を閉状態に留めることができる建具を提供することを目的とする。
【課題を解決するための手段】
【０００４】
本発明のうち請求項１の建具は、障子と、クレセント錠と、クレセント錠のロック機構を備え、障子は、開閉自在であり、クレセント錠は、障子を開閉不能に固定するものであり、ロック機構は、障子の框に対し、障子開閉方向の水平軸で回動自在に取り付けられている規制部材を有していて、規制部材は、クレセント錠のレバーに室内側から当接してクレセント錠の施錠状態を保持する位置と、レバーに干渉しない退避位置に移動自在であることを特徴とする。
【０００５】
本発明のうち請求項２の建具は、障子と、クレセント錠と、クレセント錠のロック機構を備え、障子は、開閉自在であり、クレセント錠は、障子を開閉不能に固定するものであり、ロック機構は、障子の框に取り付けられるベースと、ベースに対して框長手方向に移動自在に取り付けられている規制部材を有していて、規制部材は、クレセント錠のレバーに当接してクレセント錠の施錠状態を保持する位置と、レバーに干渉しない退避位置に移動自在であることを特徴とする。
【０００６】
本発明のうち請求項３の建具は、障子と、開閉ハンドルと、開閉ハンドルのロック機構を備え、障子は、開閉自在なものであり、開閉ハンドルは、障子を開閉不能に固定するものであり、ロック機構は、障子の框に対し、障子開閉方向の水平軸で回動自在に取り付けられている規制部材を有していて、規制部材は、開閉ハンドルのレバーに当接して開閉ハンドルの施錠状態を保持する位置と、レバーに干渉しない退避位置に移動自在であることを特徴とする。
【０００７】
本発明のうち請求項４の建具は、障子と、開閉ハンドルと、開閉ハンドルのロック機構を備え、障子は、開閉自在なものであり、開閉ハンドルは、障子を開閉不能に固定するものであり、ロック機構は、障子の框に取り付けられるベースと、ベースに対して框長手方向に移動自在に取り付けられている規制部材を有していて、規制部材は、開閉ハンドルのレバーに当接して開閉ハンドルの施錠状態を保持する位置と、レバーに干渉しない退避位置に移動自在であることを特徴とする。
【発明の効果】
【０００８】
本発明のうち請求項１の発明によれば、ロック機構が、クレセント錠のレバーに当接してクレセント錠の施錠状態を保持する位置と、レバーと干渉しない退避位置に移動自在である規制部材を備えていることで、障子を閉状態に留めることができるので、安全性に優れる。
【０００９】
本発明のうち請求項２の発明によれば、ロック機構が、クレセント錠のレバーに当接してクレセント錠の施錠状態を保持する位置と、レバーと干渉しない退避位置に移動自在である規制部材を備えていることで、障子を閉状態に留めることができるので、安全性に優れる。
【００１０】
本発明のうち請求項３の発明によれば、ロック機構が、開閉ハンドルのレバーに当接して開閉ハンドルを閉位置に保持する位置と、レバーと干渉しない退避位置に移動自在である規制部材を備えていることで、障子を閉状態に留めることができるので、安全性に優れる。
【００１１】
本発明のうち請求項４の発明によれば、ロック機構が、開閉ハンドルのレバーに当接して開閉ハンドルを閉位置に保持する位置と、レバーと干渉しない退避位置に移動自在である規制部材を備えていることで、障子を閉状態に留めることができるので、安全性に優れる。
【図面の簡単な説明】
【００１２】
【図１】第一実施形態に係るロック機構の斜視図であり、（ａ），（ｂ）はそれぞれ図２のＡ，Ｂの要部拡大斜視図で、（ａ）は障子がロック機構により閉状態に留められているとき、（ｂ）は障子が開閉自在であるときである。
【図２】第一実施形態に係る建具の正面図であり、（ａ）は障子がロック機構により閉状態に留められているとき、（ｂ）は障子が開閉自在であるときである。
【図３】第二実施形態に係るロック機構の斜視図であり、（ａ）は障子が閉状態に留められているとき、（ｂ）は障子が開閉自在であるときである。
【図４】第三実施形態に係るロック機構の斜視図であり、（ａ），（ｂ）はそれぞれ図５のＡ，Ｂの要部拡大斜視図で、（ａ）は障子がロック機構により閉状態に留められているとき、（ｂ）は障子が開閉自在であるときである。
【図５】第三実施形態に係る建具の正面図であり、（ａ）は障子がロック機構により閉状態に留められているとき、（ｂ）は障子が開閉自在であるときである。
【図６】第四実施形態に係るロック機構の斜視図であり、（ａ）は障子がロック機構により閉状態に留められているとき、（ｂ）は障子が開閉自在であるときである。
【発明を実施するための形態】
【００１３】
以下、本発明の実施の形態を図面に基づいて説明する。本発明の建具の、第一実施形態は図１及び図２に、第二実施形態は図３に、第三実施形態は図４及び図５に、第四実施形態は図６に、それぞれ示されている。以下において室内側、室外側、左側、及び右側とは図１乃至図６に示される通りとする。
本発明の第一及び第二実施形態に係る建具は、障子１と、クレセント錠２と、クレセント錠２のロック機構３を備え、障子１は、上枠、下枠及び左右縦枠を四周組にしてなる枠体に対して、上框、下框、左框及び外召合框１１を四周組みにし、内周にガラス等のパネル体を装着してなる外障子と、上框、下框、内召合框１２及び右框を四周組みにし、内周にガラス等のパネル体を装着してなる内障子とが引違い自在に配置されてなる引違い窓として構成されている。
本発明の第三及び第四実施形態に係る建具は、障子４と、開閉ハンドル５と、開閉ハンドル５のロック機構６を備え、障子１は、上枠、下枠、左縦枠及び右縦枠４１を四周組にしてなる枠体に対して、上框、下框、左縦框及び右縦框４２を四周組みにし、内周にガラス等のパネル体を装着してなる開き障子が、戸先側である右縦框４２が右縦枠４１よりも室外側へ突出することで開閉自在となるよう配置されてなる開き窓として構成されている。
【００１４】
本発明の第一実施形態に係る建具は、図１及び図２に示される通り、障子１と、クレセント錠２と、クレセント錠２のロック機構３を備え、障子１の開閉の施錠手段であるクレセント錠２はレバー２０と、錠受け部２１と、クレセント部２２とによって構成されていて、レバー２０は略平板状に形成されクレセント錠台座を介して内召合框１２の左側外周面に取り付けられており、錠受け部２１は外召合框１１の室内側見付面に固定されており、クレセント部２２はレバー２０の基部２０ａと接合し、基部２０ａを含む障子１の開閉方向の水平軸で回動自在に取り付けられている。クレセント部２２の回動はレバー２０の操作により行われる。レバー２０が操作され、クレセント部２２が回動し錠受け部２１に係合すると、クレセント錠２は施錠状態となり障子１は閉状態に固定される。レバー２０が操作され、クレセント部２２が回動しクレセント受け部２１との係合が解除されると、クレセント錠２は解錠状態となり障子１は開閉可能となる。
【００１５】
クレセント錠２のロック機構３は、規制部材１３０と、シリンダ錠３１と、ベース３２とを有し、規制部材１３０は、障子１の内召合框１２の左側外周面にネジ止めされてなるベース３２に、ベース３２の左側に重なって取り付けられており、レバー２０に当接してクレセント錠２の施錠状態を保持する位置と、レバー２０に干渉しない退避位置に移動自在である。規制部材１３０の移動は、シリンダ錠３１の施解錠と関係し、シリンダ錠３１が施錠されているとき、規制部材１３０はクレセント錠２の施錠状態を保持する位置に固定され、シリンダ錠３１が解錠されているとき、規制部材１３０はレバー２０に干渉しない退避位置に移動可能である。
【００１６】
本発明の第一実施形態のロック機構３に係る規制部材１３０は、図１（ａ）に示される通り、室内側端部に左方向へ突出してなる角板状の当接部１３０ａを有する形状をなし、シリンダ錠３１を含む障子１の開閉方向の水平軸で回動自在である。シリンダ錠３１が施錠されたとき、規制部材１３０は左側から見て時計回りに回動し、当接部１３０ａがレバー２０の先部２０ｂに室内側から当接することとなり、すなわち、規制部材１３０がクレセント錠２のレバー２０に当接してクレセント錠２の施錠状態を保持する位置となる。規制部材１３０がクレセント錠２の施錠状態を保持する位置となったとき、規制部材１３０はベース３２の左側に重なりベース３２の取付ネジ３２ａ，３２ａが規制部材１３０に隠蔽される。シリンダ錠３１が解錠されたとき、規制部材１３０は左側から見て反時計回りに回動し、規制部材１３０の当接部１３０ａがレバー２０の先部２０ｂよりも上方となり、すなわち、規制部材１３０がレバー２０に干渉しない退避位置となる。
【００１７】
このように構成した本発明の第一実施形態の建具によれば、障子１においてクレセント錠２のロック機構３が設けられ、ロック機構３は規制部材１３０と、シリンダ錠３１と、ベース３２とを有し、シリンダ錠３１が施錠されているとき、規制部材１３０はクレセント錠２の施錠状態を保持する位置に固定され、障子１を閉状態に留めることができ、シリンダ錠３１を解錠可能な者のみが障子１を開状態にすることができるため、安全性に優れる。さらに、規制部材１３０は、レバー２０に干渉しない退避位置に移動したとき、ベース３２の左側に重なり、左側から見たときベース３２は規制部材２３０に隠れて目視不可となるので、意匠性に優れる。加えて、ベース３２の取付ネジ３２ａ，３２ａが隠蔽される構成であるので、シリンダ錠３１の錠の持ち主以外の者が、取付ネジ３２ａ，３２ａを緩ませ、ロック機構３を障子１から外して障子１を開状態にしようとすることを防止できるので、シリンダ錠３１の錠の持ち主のみ障子１を開状態にできるため、安全性に優れる。また、ロック機構３は障子１の内召合框１２の左側外周面に取り付けするのみで構成されるので、構造が簡便であり、施工が容易である。加えて、規制部材１３０は、回転の方向が障子１の開閉方向の水平軸であり、規制部材１３０の回動前後において室内側から見た見付幅が同一なので、収まりが良く、すっきりとした意匠となる。
【００１８】
また、図３に示されるのは、本発明の第二実施形態に係る建具である。第二実施形態に係る建具の基本構成は、本発明の第一実施形態と同一であるが、第二実施形態のロック機構３に係る規制部材２３０の下部に断面視略凹字状の当接部２３０ａが設けられ、ベース３２に対して内召合框１２の長手方向に移動自在である点が、第一実施形態とは異なっている。シリンダ錠３１が施錠されたとき、規制部材２３０は内召合框１２の長手方向下側へ摺動し、レバー２０の先部２０ｂに覆い被さり当接部２３０ａの室外側になる下方突出部がレバー２０の先部２０ｂに当接してクレセント錠２の施錠状態を保持する位置となり、また、規制部材２３０はベース３２の左側に重なりベース３２の取付ネジ３２ａ，３２ａが規制部材２３０に隠蔽される。シリンダ錠３１が解錠されたとき、規制部材２３０は、ベース３２の下端よりも内召合框１２の長手方向上側へ摺動し、当接部２３０ａがレバー２０よりも上方となり、すなわち、規制部材２３０がレバー２０に干渉しない退避位置となる。
【００１９】
このように構成した本発明の第二実施形態の建具によれば、障子１においてクレセント錠２のロック機構３が設けられ、ロック機構３は規制部材２３０と、シリンダ錠３１と、ベース３２とを有し、シリンダ錠３１が施錠されているとき、規制部材２３０はクレセント錠２の施錠状態を保持する位置に固定され、障子１を閉状態に留めることができ、シリンダ錠３１を解錠可能な者のみが障子１を開状態にすることができるため、安全性に優れる。さらに、規制部材２３０は、レバー２０に干渉しない退避位置に移動したとき、ベース３２の左側に重なり、左側から見たときベース３２は規制部材２３０に隠れて目視不可となるので、意匠性に優れる。加えて、ベース３２の取付ネジ３２ａ，３２ａが隠蔽される構成であるので、シリンダ錠３１の錠の持ち主以外の者が、取付ネジ３２ａ，３２ａを緩ませ、ロック機構３を障子１から外して障子１を開状態にしようとすることを防止できるので、シリンダ錠３１の錠の持ち主のみ障子１を開状態にできるため、安全性に優れる。また、本発明のロック機構３は障子１の内召合框１２の左側外周面に取り付けするのみで構成されるので、構造が簡便であり、施工が容易である。
【００２０】
本発明の第三実施形態に係る建具は、図４及び図５に示される通り、障子４と、開閉ハンドル５と、開閉ハンドル５のロック機構６を備え、障子１の開閉の施錠手段は、障子４の右縦框４２の室内側見付面に取り付けられてなる開閉ハンドル５によって構成される。開閉ハンドル５はレバー５０を有し、レバー５０は略直方体状に形成されており、レバー５０の基部５０ａを含む障子４の開閉方向の水平軸で回動する。レバー５０が操作され室内側から見て時計回りに回動されて、レバー５０の先部５０ｂが基部５０ａの左側に位置するとき、開閉ハンドル５は施錠状態となり、障子４は開閉不能となる。レバー５０が操作され室内側から見て反時計回りに回動されて、レバー５０の先部５０ｂが基部５０ａよりも下側に位置するとき、開閉ハンドル５は解錠状態となり、障子４は開閉可能となる。開閉ハンドル５のロック機構６は、規制部材３６０と、シリンダ錠６１と、ベース６２とを有し、規制部材３６０は、障子４の右縦框４２の室内側見付面にネジ止めされてなるベース６２に、ベース６２の室内側に重なって取り付けられており、規制部材３６０は、開閉ハンドル５のレバー５０に当接して開閉ハンドル５の施錠状態を保持する位置と、レバー５０に干渉しない退避位置に移動自在であり、規制部材３６０の移動は、シリンダ錠６１の施解錠と関係し、シリンダ錠６１が施錠されているとき、規制部材３６０又は規制部材４６０は開閉ハンドル５の施錠状態を保持する位置に固定され、シリンダ錠６１が解錠されているとき、規制部材３６０はレバー５０に干渉しない退避位置に移動可能である。
【００２１】
本発明の第三実施形態のロック機構６に係る規制部材３６０は、図４（ａ）に示される通り、左側端部に室内側方向へ突出してなる角板状の当接部３６０ａを有する形状をなし、シリンダ錠６１を含む障子４の開閉方向の水平軸で回動自在である。シリンダ錠６１が施錠されたとき、規制部材３６０は室内側正面から見て時計回りに回動し、当接部３６０ａがレバー５０の先部５０ｂに左側から当接することとなり、すなわち、規制部材３６０が開閉ハンドル５のレバー５０に当接して開閉ハンドル５の施錠状態を保持する位置となる。規制部材３６０がクレセント錠２の施錠状態を保持する位置となったとき、規制部材３６０はベース６２の室内側に重なりベース６２の取付ネジ６２ａ，６２ａが規制部材３６０に隠蔽される。シリンダ錠６１が解錠されたとき、規制部材３６０は室内側正面から見て反時計回りに回動し、規制部材３６０の当接部３６０ａがレバー５０よりも下方となり、すなわち、規制部材３６０がレバー５０に干渉しない退避位置となる。
【００２２】
このように構成した本発明の第三実施形態の建具によれば、障子４において開閉ハンドル５のロック機構６が設けられ、ロック機構６は規制部材３６０と、シリンダ錠６１と、ベース６２とを有し、シリンダ錠６１が施錠されているとき、規制部材３６０は開閉ハンドル５の施錠状態を保持する位置に固定され、障子４を閉状態に留めることができ、シリンダ錠６１を解錠可能な者のみが障子４を開状態にすることができるため、安全性に優れる。さらに、規制部材３６０は、レバー５０に干渉しない退避位置に移動したとき、ベース６２の室内側に重なり、室内側から見たときベース６２は規制部材３６０に隠れて目視不可となるので、意匠性に優れる。加えて、ベース６２の取付ネジ６２ａ，６２ａが隠蔽される構成であるので、シリンダ錠６１の錠の持ち主以外の者が、取付ネジ６２ａ，６２ａを緩ませ、ロック機構６を障子４から外して障子４を開状態にしようとすることを防止できるので、シリンダ錠６１の錠の持ち主のみ障子１を開状態にできるため、安全性に優れる。また、ロック機構６は障子４の右縦框４２の室内側見付面に取り付けするのみで構成されるので、構造が簡便であり、施工が容易である。加えて、規制部材３６０は、回転の方向が障子４の開閉方向の水平軸であり、規制部材３６０の回動前後において左側から見た見付幅が同一なので、収まりが良く、すっきりとした意匠となる。
【００２３】
また、図６に示されるのは、本発明の第四実施形態に係る建具である。第四実施形態に係る建具の基本構成は、本発明の第三実施形態と同一であるが、本発明の第四実施形態のロック機構６の規制部材４６０が、断面視略逆凹字状の当接部４６０ａを下部に設けており、ベース６２に対して右縦框４２の長手方向に移動自在である点が、第三実施形態とは異なっている。シリンダ錠６１が施錠されたとき、規制部材４６０は右縦框４２の長手方向下側へ摺動し、レバー５０の先部５０ｂに覆い被さり当接部４６０ａの左側になる上方突出部がレバー５０の先部５０ｂに当接して開閉ハンドル５の施錠状態を保持する位置となり、また、規制部材４６０はベース６２の室内側に重なりベース６２の取付ネジ６２ａ，６２ａが規制部材４６０に隠蔽される。シリンダ錠６１が解錠されたとき、規制部材４６０は、ベース６２の下端よりも右縦框４２の長手方向上側へ摺動し、当接部４６０ａがレバー５０よりも下方となり、すなわち、レバー５０に干渉しない退避位置となる。
【００２４】
このように構成した本発明の第四実施形態の建具によれば、障子４において開閉ハンドル５のロック機構６が設けられ、ロック機構６は規制部材４６０と、シリンダ錠６１と、ベース６２とを有し、シリンダ錠６１が施錠されているとき、規制部材４６０は開閉ハンドル５の施錠状態を保持する位置に固定され、障子４を閉状態に留めることができ、シリンダ錠６１を解錠可能な者のみが障子４を開状態にすることができるため、安全性に優れる。さらに、規制部材４６０は、レバー５０に干渉しない退避位置に移動したとき、ベース６２の室内側に重なり、室内側から見たときベース６２は規制部材４６０に隠れて目視不可となるので、意匠性に優れる。加えて、ベース６２の取付ネジ６２ａ，６２ａが隠蔽される構成であるので、シリンダ錠６１の錠の持ち主以外の者が、取付ネジ６２ａ，６２ａを緩ませ、ロック機構６を障子４から外して障子４を開状態にしようとすることを防止できるので、シリンダ錠６１の錠の持ち主のみ障子４を開状態にできるため、安全性に優れる。また、本発明のロック機構６は障子４の右縦框４２の室内側見付面に取り付けするのみで構成されるので、構造が簡便であり、施工が容易である。
【００２５】
本発明は、上記の実施形態に限定されない。例えば、障子はすべり出し窓であってもよい。また、特許請求の範囲内であれば、適宜変更することができ、例えば、クレセント錠のレバーは平板状でなくともよく、また、開閉ハンドルのレバーは直方体でなくともよく、障子の開閉の妨げとならない形状であれば限定されるものではない。
【符号の説明】
【００２６】
１，  ４  障子
１２        内召合框（框）
２          クレセント錠
２０，５０  レバー
３，  ６      ロック機構
１３０，２３０，３６０，４６０  規制部材
３２，６２  ベース
４２        右縦框（框）
５          開閉ハンドル
【図１】
2020111899.tif 000003
【図２】
2020111899.tif 000004
【図３】
2020111899.tif 000005
【図４】
2020111899.tif 000006
【図５】
2020111899.tif 000007
【図６】
2020111899.tif 000008